(57)【要約】【課題】内部に収容されたワイヤハーネスに負荷が掛かった場合でも、当該ワイヤハーネスが外れにくいプロテクタを提供する。【解決手段】プロテクタ１００には、複数の第１空間３１と、第２空間３２，３２ｘと、が形成される。複数の第１空間３１は、プロテクタ１００においてワイヤハーネスを収容する面である収容面側を開放させるとともに、反収容面側も開放させる。第２空間３２，３２ｘは、収容面側を開放させ、反収容面側は閉じられている。複数の第１空間３１は並べて配置され、互いに隣り合う第１空間３１同士が第２空間３２，３２ｘを通じて繋がることにより、収容空間１５が形成される。第１空間３１において、収容空間１５の長手方向と垂直な方向で向かい合うように内壁１，２が対をなして配置されている。対で配置された内壁１，２のうち一方の内壁の、収容面側の端部に、反対側の内壁に向かって突出する止めリブ５が形成されている。【選択図】図２
2019198162.tif 000002
【特許請求の範囲】
【請求項１】
一側を開放させた収容空間が長手方向に沿って形成されるプロテクタであって、
前記一側を開放させるとともに反対側も開放させる複数の第１空間と、
前記一側を開放させ、反対側は閉じられている第２空間と、
が形成され、
複数の前記第１空間は並べて配置されており、
互いに隣り合う前記第１空間同士が前記第２空間を通じて繋がることにより、前記収容空間が形成され、
前記第１空間において、前記収容空間の長手方向と垂直な方向で向かい合うように内壁が対をなして配置されており、
対で配置された前記内壁のうち一方の内壁の、前記収容空間の長手方向にも前記内壁が向かい合う方向にも垂直な方向で前記第２空間が開放している側と同じ側の端部に、反対側の前記内壁に向かって突出する止めリブが形成されていることを特徴とするプロテクタ。
【請求項２】
請求項１に記載のプロテクタであって、
対で配置された前記内壁のうち前記止めリブが形成されていない側の内壁に、前記第１空間の両側の開放部を繋ぐ方向に細長い第１リブが、前記止めリブが形成されている側の内壁に向かって突出するように形成されていることを特徴とするプロテクタ。
【請求項３】
請求項２に記載のプロテクタであって、
対で配置された前記内壁のうち前記止めリブが形成されている側の内壁に、前記第１空間の両側の開放部を繋ぐ方向に細長い第２リブが、前記止めリブが形成されていない側の内壁に向かって突出するように形成されていることを特徴とするプロテクタ。
【請求項４】
請求項１から３までの何れか一項に記載のプロテクタであって、
前記第２空間において、前記収容空間の長手方向と垂直な方向で向かい合うように内壁が対をなして配置されており、
前記第２空間において対で配置された前記内壁の間の距離の最小値は、前記第１空間において対で配置された前記内壁の間の距離の最大値よりも小さいことを特徴とするプロテクタ。
【請求項５】
請求項４に記載のプロテクタであって、
前記第２空間は、前記収容空間の長手方向に沿って形成され、
前記第２空間の長手方向中間部において対で配置された前記内壁の間の距離が、長手方向端部において対で配置された前記内壁の間の距離よりも大きくなっていることを特徴とするプロテクタ。
【請求項６】
請求項４又は５に記載のプロテクタであって、
前記第１空間において対で配置された前記内壁の間の距離は、前記第１空間が前記第２空間と接続する部分の近傍で小さくなっていることを特徴とするプロテクタ。
【請求項７】
請求項１から６までの何れか一項に記載のプロテクタであって、
前記第１空間のうち少なくとも１つは、前記プロテクタが曲がっている部分に配置され、
前記プロテクタが曲がっている部分に配置された前記第１空間において、前記止めリブは、内周側の前記内壁から外周側の前記内壁へ向かって突出するように設けられていることを特徴とするプロテクタ。
【請求項８】
請求項１から７までの何れか一項に記載のプロテクタであって、
複数の前記第１空間には、隣り合って配置され、前記止めリブの向きが互いに逆である２つの前記第１空間が含まれることを特徴とするプロテクタ。
【請求項９】
請求項１から８までの何れか一項に記載のプロテクタであって、
前記第１空間の両側の開放部を繋ぐ方向で見たときに、前記止めリブが突出する長さは、前記第１空間において対で配置された前記内壁の間の距離の１／２よりも小さいことを特徴とするプロテクタ。
【請求項１０】
請求項１から９までの何れか一項に記載のプロテクタであって、
前記プロテクタが曲がっている部分又はその近傍部分に配置される複数の前記第１空間において、内周側の前記内壁から外周側の前記内壁へ向かって突出する前記止めリブの数が、外周側の前記内壁から内周側の前記内壁へ向かって突出する前記止めリブの数よりも多いことを特徴とするプロテクタ。
【請求項１１】
請求項１から１０までの何れか一項に記載のプロテクタであって、
前記第２空間において、開放側と反対側に位置する内壁には、前記第２空間の幅よりも小さい幅の溝が形成され、
前記溝の長手方向端部が前記第１空間に接続されていることを特徴とするプロテクタ。
【発明の詳細な説明】
【技術分野】
【０００１】
本発明は、ワイヤハーネスを保護するプロテクタに関する。
【背景技術】
【０００２】
従来から、乗用車において、ワイヤハーネスが外部の部品と接触する等して損傷しないように機械的に保護するプロテクタが用いられている。特許文献１は、この種のプロテクタを開示する。
【０００３】
特許文献１は、ワンボックスカーやワゴン車等に用いられるスライドドアの状態検出を行う検出部品を車両本体に組み付ける際に使用される検出部品組立体を開示する。検出部品組立体はカバー部材を備え、このカバー部材は、検出部品を保持すると共にハーネスを収納する。カバー部材を構成する本体部及び腕部には、検出部品組立体の裏側に向けて開口した溝状の収納部が全体に亘って設けられている。
【先行技術文献】
【特許文献】
【０００４】
【特許文献１】特開２０１１−２４４５８７号公報
【発明の概要】
【発明が解決しようとする課題】
【０００５】
上記特許文献１の構成は、カバー部材の収納部に収納されたハーネスに対して負荷が掛かった場合に、その負荷を逃がすことが困難であった。従って、上記の負荷を原因として、溝から出る方向の力がハーネスに加わり、カバー部材からハーネスが外れてしまう原因となっていた。
【０００６】
本発明は以上の事情に鑑みてされたものであり、その目的は、内部に収容されたワイヤハーネスに負荷が掛かった場合でも、当該ワイヤハーネスが外れにくいプロテクタを提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成のプロテクタが提供される。即ち、このプロテクタには、一側を開放させた収容空間が長手方向に沿って形成される。プロテクタには、複数の第１空間と、第２空間と、が形成される。複数の前記第１空間は、前記一側を開放させるとともに反対側も開放させる。前記第２空間は、前記一側を開放させ、反対側は閉じられている。複数の前記第１空間は並べて配置されている。互いに隣り合う前記第１空間同士が前記第２空間を通じて繋がることにより、前記収容空間が形成される。前記第１空間において、前記収容空間の長手方向と垂直な方向で向かい合うように内壁が対をなして配置されている。対で配置された前記内壁のうち一方の内壁の、前記収容空間の長手方向にも前記内壁が向かい合う方向にも垂直な方向で前記第２空間が開放している側と同じ側の端部に、反対側の前記内壁に向かって突出する止めリブが形成されている。
【０００９】
これにより、収容空間にワイヤハーネスを配置した場合に、両側が開放されている複数の第１空間において、ワイヤハーネスの周囲に空間を容易に形成することができる。従って、ワイヤハーネスに負荷が加わった場合でも、ワイヤハーネスのうち第１空間に位置している部分が必要に応じて動くことで、負荷を良好に逃がすことができる。また、簡素な構成の止めリブによって、ワイヤハーネスが開放部から出ることが防止される。この結果、ワイヤハーネスが収容空間の開放部から出にくくなるので、ワイヤハーネスがプロテクタから外れることを良好に防止することができる。
【００１０】
前記のプロテクタにおいては、対で配置された前記内壁のうち前記止めリブが形成されていない側の内壁に、前記第１空間の両側の開放部を繋ぐ方向に細長い第１リブが、前記止めリブが形成されている側の内壁に向かって突出するように形成されていることが好ましい。
【００１１】
これにより、止めリブによるワイヤハーネスの外れ防止効果をより高めることができる。また、ワイヤハーネスが第１空間の内壁に接触しにくくなるので、内壁に形成される例えば凹凸等によってワイヤハーネスが損傷することも防止できる。また、第１リブの突出量を適宜定めることによって、ワイヤハーネスの周囲に適度な大きさの空間を形成することができる。
【００１２】
前記のプロテクタにおいては、対で配置された前記内壁のうち前記止めリブが形成されている側の内壁に、前記第１空間の両側の開放部を繋ぐ方向に細長い第２リブが、前記止めリブが形成されていない側の内壁に向かって突出するように形成されていることが好ましい。
【００１３】
これにより、ワイヤハーネスが第１空間の内壁に接触しにくくなるので、内壁に形成される例えば凹凸等によってワイヤハーネスが損傷することを防止できる。また、第２リブの突出量を適宜定めることによって、ワイヤハーネスの周囲に適度な大きさの空間を形成することができる。
【００１４】
前記のプロテクタにおいては、以下の構成とすることが好ましい。即ち、前記第２空間において、前記収容空間の長手方向と垂直な方向で向かい合うように内壁が対をなして配置されている。前記第２空間において対で配置された前記内壁の間の距離の最小値は、前記第１空間において対で配置された前記内壁の間の距離の最大値よりも小さい。
【００１５】
これにより、第１空間においてワイヤハーネスの負荷を逃がしてプロテクタからの外れ防止を実現する一方で、第２空間においてはワイヤハーネスの経路を良好に拘束することができる。
【００１６】
前記のプロテクタにおいては、以下の構成とすることが好ましい。即ち、前記第２空間は、前記収容空間の長手方向に沿って形成される。前記第２空間の長手方向中間部において対で配置された前記内壁の間の距離が、長手方向端部において対で配置された前記内壁の間の距離よりも大きくなっている。
【００１７】
これにより、第２空間の長手方向中間部において、ワイヤハーネスの周囲に空間を容易に形成することができる。従って、第２空間においても、ワイヤハーネスに加わった負荷を良好に逃がすことができるので、プロテクタからワイヤハーネスが外れるのを良好に防止することができる。
【００１８】
前記のプロテクタにおいては、前記第１空間において対で配置された前記内壁の間の距離は、前記第１空間が前記第２空間と接続する部分の近傍で小さくなっていることが好ましい。
【００１９】
これにより、第１空間を通過するワイヤハーネスは、第２空間に至る直前に、間隔が狭くなった内壁によって経路が拘束され、その後に第２空間を通過することになる。従って、第１空間と第２空間との境界部分において、ワイヤハーネスを円滑に保持することができる。
【００２０】
前記のプロテクタにおいては、以下の構成とすることが好ましい。即ち、前記第１空間のうち少なくとも１つは、前記プロテクタが曲がっている部分に配置される。前記プロテクタが曲がっている部分に配置された前記第１空間において、前記止めリブは、内周側の前記内壁から外周側の前記内壁へ向かって突出するように設けられている。
【００２１】
これにより、プロテクタが曲がっている部分の内周側からワイヤハーネスが外れるのを良好に防止することができる。
【００２２】
前記のプロテクタにおいては、複数の前記第１空間には、隣り合って配置され、前記止めリブの向きが互いに逆である２つの前記第１空間が含まれることが好ましい。
【００２３】
これにより、交互配置された止めリブによって、ワイヤハーネスがプロテクタから外れるのを良好に防止することができる。
【００２４】
前記のプロテクタにおいては、前記第１空間の両側の開放部を繋ぐ方向で見たときに、前記止めリブが突出する長さは、前記第１空間において対で配置された前記内壁の間の距離の１／２よりも小さいことが好ましい。
【００２５】
これにより、止めリブが開放部を閉鎖し過ぎないので、組立時にワイヤハーネスを第１空間（収容空間）に容易に入れることができる。
【００２６】
前記のプロテクタにおいては、前記プロテクタが曲がっている部分又はその近傍部分に配置される複数の前記第１空間において、内周側の前記内壁から外周側の前記内壁へ向かって突出する前記止めリブの数が、外周側の前記内壁から内周側の前記内壁へ向かって突出する前記止めリブの数よりも多いことが好ましい。
【００２７】
これにより、プロテクタが曲がっている部分の周辺においてワイヤハーネスが外れてしまうのを良好に防止することができる。
【００２８】
前記のプロテクタにおいては、以下の構成とすることが好ましい。即ち、前記第２空間において、開放側と反対側に位置する内壁には、前記第２空間の幅よりも小さい幅の溝が形成される。前記溝の長手方向端部が前記第１空間に接続されている。
【００２９】
これにより、第２空間に水が侵入した場合でも、溝を介して第１空間に水を案内することで、排出が容易になる。また、例えばプロテクタを型によって樹脂成形する場合に、溝が形成されている部分は樹脂が素早く冷えて硬化するので、プロテクタの形状の崩れを防止することができる。
【図面の簡単な説明】
【００３０】
【図１】本発明の一実施形態に係るプロテクタを下側から見た斜視図。
【図２】プロテクタを上側から見た斜視図。
【図３】プロテクタの収容空間を詳細に示す底面図。
【図４】プロテクタを複数箇所で長手方向に垂直に切った断面をそれぞれ示す図。
【発明を実施するための形態】
【００３１】
次に、図面を参照しながら本発明の実施の形態について説明する。図１は、本発明の一実施形態に係るプロテクタ１００を下側から見た斜視図である。図２は、プロテクタ１００を上側から見た斜視図である。図３は、プロテクタ１００の収容空間１５を詳細に示す底面図である。図４は、プロテクタ１００を複数箇所で長手方向に垂直に切った断面をそれぞれ示す図である。
【００３２】
図１に示すプロテクタ１００は、自動車用のワイヤハーネス５０を保護するための部品であり、電気絶縁性を有する合成樹脂により成形されている。ワイヤハーネス５０は、自動車が備える各種電気機器への電力供給や、電気機器間の通信などに利用される。なお、図２以降の図では、プロテクタ１００の形状をより良く示すため、ワイヤハーネス５０の図示が省略されている。
【００３３】
プロテクタ１００は、複数の屈曲部分を有する細長い形状となっている。ただし、図１及び図２には、プロテクタ１００の複数ある屈曲部分１１のうち１箇所を含む適当な長さの部分を取り出して示している。
【００３４】
上側から見た図である図２に示すように、プロテクタ１００の底面には、細長い収容空間１５が形成されている。この収容空間１５は、プロテクタ１００の長手方向に沿うように細長く形成されている。収容空間１５において、プロテクタ１００の屈曲部分１１に対応する部分は屈曲している。収容空間１５は、その長手方向全体にわたって、プロテクタ１００の上側を開放させている。
【００３５】
プロテクタ１００の上側の面に形成される開放部は、収容空間１５にワイヤハーネス５０を収容するためのものである。これを考慮して、以下の説明では、プロテクタ１００の上側の面を「収容面」と呼び、収容面と反対側にある下側の面を「反収容面」と呼ぶことがある。図１はプロテクタ１００を反収容面側から見た図であり、図２及び図３はプロテクタ１００を収容面側から見た図である。
【００３６】
収容空間１５は、プロテクタ１００に形成された複数の第１空間３１と、複数の第２空間３２，３２ｘと、により構成されている。
【００３７】
複数の第１空間３１は、プロテクタ１００の長手方向に沿って、適宜の間隔をあけて並べて配置されている。第１空間３１と第２空間３２，３２ｘとは、プロテクタ１００の長手方向に交互に並べて配置されている。第１空間３１は、隣の第１空間３１と、第２空間３２，３２ｘを通じて互いに繋がっている。
【００３８】
第１空間３１も、第２空間３２，３２ｘも、プロテクタ１００の少なくとも収容面側を開放させている。第１空間３１が収容面側に形成する開放部と、第２空間３２，３２ｘが収容面側に形成する開放部とは、互いに連続しており、この結果、全体として細長い開放部がプロテクタ１００の収容面に形成されている。この開放部を通じて、ワイヤハーネス５０を収容空間１５の内部に入れることができる。
【００３９】
第１空間３１は、プロテクタ１００を上下方向に貫通するように形成された貫通孔の内部空間である。従って、第１空間３１は、プロテクタ１００の収容面側と、反収容面側と、の両方を開放させている。第１空間３１は、プロテクタ１００を収容面側から見たときに、プロテクタ１００の長手方向と同じ方向に細長い矩形状に形成されている。
【００４０】
第２空間３２は、プロテクタ１００の収容面に形成された溝の内部空間である。従って、第２空間３２は、プロテクタ１００の収容面側を開放させるが、反収容面側は開放させず、閉鎖された構成となっている。第２空間３２は、プロテクタ１００を収容面側から見たときに、プロテクタ１００の長手方向と同じ方向に細長い矩形状に形成されている。
【００４１】
それぞれの第１空間３１には、図４（ａ）等に示すように、対をなして配置される２つの内壁１，２が設けられている。この内壁１，２は、互いに平行に配置されるとともに、収容空間１５の長手方向と垂直な方向で向かい合うように配置されている。図３等に示すように、２つの内壁１，２は、細長い長方形状に形成された前記貫通孔の２つの長辺に相当する。図１及び図２に示すプロテクタ１００は屈曲部分１１を含んでいるが、それぞれの第１空間３１の内壁のうち、内周側の内壁に符号１が、外周側の内壁に符号２が付されている。
【００４２】
それぞれの第１空間３１では、図４（ａ）で示すように、対で配置された内壁１，２のうち一方だけに、上下方向で収容面側の端部に止めリブ５が形成されている。上下方向は、収容空間１５の長手方向に垂直な方向であり、内壁１，２が向かい合う方向にも垂直な方向である。この止めリブ５は、反対側の内壁に向かって突出するように形成されており、第１空間３１の収容面側の開放部を一部閉鎖している。この止めリブ５により、収容空間１５に入れられたワイヤハーネス５０が収容面側から外部に出るのを阻止することができる。
【００４３】
止めリブ５は、適宜の幅を有する板状のリブとして形成されている。止めリブ５は図４（ａ）に示すように、その先端側に近づくに従って反収容面側となるように、傾斜状に形成されている。これにより、ワイヤハーネス５０が収容空間１５から外部に出にくい構成とすることができる。
【００４４】
止めリブ５は、プロテクタ１００に一体的に形成されている。本実施形態では、止めリブ５は、プロテクタ１００を上下方向に貫くように形成される貫通孔の内部空間（第１空間３１）に配置されている。従って、前記貫通孔の向きに沿って開閉する金型によって、プロテクタ１００とともに当該止めリブ５を成形することが容易になっている。
【００４５】
止めリブ５の先端部と、止めリブ５が形成される内壁と反対側の内壁と、の間には、隙間が形成されている。図３に示すように上下方向で見たとき、止めリブ５が突出する長さＬ１は、対で配置された内壁１，２の間の距離Ｗ１の１／２よりも短くなっている（Ｌ１＜Ｗ１／２）。なお、上下方向は、収容面と反収容面とが向かい合う方向と言い換えることができ、また、第１空間３１の両側の開放部を繋ぐ方向と言い換えることもできる。これにより、止めリブ５が第１空間３１の開放部を閉鎖し過ぎないので、組立時にワイヤハーネス５０を第１空間３１（収容空間１５）に容易に入れることができる。止めリブ５が突出する長さＬ１は、ワイヤハーネス５０を構成する電線のうち最も太い電線の半径以上であることが好ましく、直径以上であることが更に好ましい。また、止めリブ５が突出する長さＬ１は、ワイヤハーネス５０の全体（束全体）の半径以上であることが好ましく、直径以上であることが更に好ましい。
【００４６】
第１空間３１は、収容面側にも反収容面側にも開放部を有する。従って、収容空間１５にワイヤハーネス５０が収容された状態で、第１空間３１に相当する部分では、ワイヤハーネス５０の周囲に空間を確保することが容易である。本実施形態では、この空間を、ワイヤハーネス５０に負荷が加わったときに当該ワイヤハーネス５０を動かして当該負荷を逃がすための空間（以下、逃がし空間と呼ぶことがある。）として利用している。これにより、止めリブ５の効果とも相まって、収容空間１５からワイヤハーネス５０が外れないように保持することができる。
【００４７】
それぞれの第１空間３１では、対で配置された内壁１，２のうち、止めリブ５が形成されていない側の内壁に、第１リブ３が配置されている。また、内壁１，２のうち、止めリブ５が形成されている側の内壁には、第２リブ４が配置されている。第１リブ３及び第２リブ４は、プロテクタ１００に一体形成されている。
【００４８】
１つの第１空間３１につき、第１リブ３と第２リブ４は、それぞれ１つずつ設けられている。第１リブ３は、止めリブ５と向かい合う位置に設けられている。第２リブ４は、第１リブ３と向かい合う位置に設けられている。
【００４９】
第１リブ３及び第２リブ４は、何れも、上下方向に細長い直線状のリブとして形成され、上記の内壁から少し突出している。第１リブ３及び第２リブ４が内壁から突出する長さは、止めリブ５が突出する長さＬ１よりも小さい。
【００５０】
第１リブ３は、第１空間３１において、収容面側の開放部と、反収容面側の開放部と、を繋ぐように形成されている。第２リブ４は、止めリブ５の根元部と、反収容面側の開放部と、を繋ぐように形成されている。
【００５１】
第１リブ３及び第２リブ４は、第１空間３１に入れられたワイヤハーネス５０が当該第１空間３１の内壁１，２と接触しないように（内壁１，２と適宜の隙間を形成するように）、当該ワイヤハーネス５０を案内する。従って、例えば射出成形金型のパーティングラインが内壁１，２の部分に設定され、当該パーティングラインによる細長い凸部が内壁１，２の表面に形成されたとしても、ワイヤハーネス５０が当該凸部に当たって損傷することを防止することができる。
【００５２】
第１リブ３及び第２リブ４のそれぞれは、その長手方向に垂直に切った断面が円弧状となっている。このように滑らかな湾曲状のリブとすることで、ワイヤハーネス５０が第１リブ３と第２リブ４によって傷付けられるのを防止できる。
【００５３】
第１リブ３が止めリブ５と向かい合う位置に形成されることによって、第１空間３１における収容面側の開口面積を実質的に狭めることができる。この結果、第１空間３１からワイヤハーネス５０を外れにくくすることができる。
【００５４】
なお、第１リブ３及び第２リブ４の突出量を適宜定めることにより、第１空間３１において、ワイヤハーネス５０の周囲に適度な大きさの逃がし空間を確保することができる。これにより、ワイヤハーネス５０に大きな弛みが生じたり、負荷が加わった場合にワイヤハーネス５０が動ける空間が不足したりすることがなくなり、収容空間１５の内部でワイヤハーネス５０を安定して保持することができる。
【００５５】
それぞれの第２空間３２には、図４（ｂ）で示すように、対をなして配置される２つの内壁７，８が設けられている。この内壁７，８は、互いに平行に配置されるとともに、収容空間１５の長手方向と垂直な方向で向かい合うように配置されている。図１及び図２に示すプロテクタ１００は屈曲部分１１を含んでいるが、それぞれの第２空間３２の内壁のうち、内周側の内壁に符号７が、外周側の内壁に符号８が付されている。
【００５６】
第２空間３２における内壁７，８の間の距離Ｗ２は、第１空間３１における内壁１，２の間の距離Ｗ１よりも小さい（Ｗ２＜Ｗ１）。これにより、第２空間３２においてワイヤハーネス５０を確実に拘束することができるので、収容空間１５においてワイヤハーネス５０を確実に案内することができる。
【００５７】
なお、第１空間３１が複雑な形状をしている場合、内壁１，２の間の距離Ｗ１は場所に応じて変化する。同様に、第２空間３２が複雑な形状をしている場合、内壁７，８の間の距離Ｗ２は場所に応じて変化する。上記の「複雑な形状」としては、例えば、捻り、急な曲げ、幅方向でない斜めの曲げを有する形状等が考えられる。本実施形態では、第２空間３２での内壁７，８の間の距離Ｗ２の最小値が、第１空間３１での内壁１，２の間の距離Ｗ１の最大値よりも小さくなっている。これにより、第１空間３１において逃がし空間を形成しつつ、第２空間３２によってワイヤハーネス５０を確実に案内することができる。
【００５８】
屈曲部分１１に配置される第２空間３２ｘにおいては、図３に示すように、その長手方向中央部の内壁７ｘ，８ｘの間の距離Ｗ３が、長手方向端部の内壁７，８の間の距離Ｗ２よりも大きくなっている（Ｗ３＞Ｗ２）。これにより、第２空間３２ｘにおいてもワイヤハーネス５０の逃がし空間を確保することができるので、ワイヤハーネス５０の外れ防止効果を高めることができる。
【００５９】
また、屈曲部分１１に配置される第２空間３２ｘにおいては、図４（ｃ）に示すように、開放側（収容面側）と反対側の壁部に、細長い溝９が形成されている。この溝９は、第２空間３２ｘの幅方向両端に１対で配置され、互いに平行に向けられている。それぞれの溝９の長手方向両端部は、図３等に示すように、第１空間３１に接続している。
【００６０】
この溝９により、第２空間３２ｘ内に水が入った場合でも、溝９を介して水を第１空間３１へ逃がして、容易に排出することができる。また、溝９が形成される分だけプロテクタ１００の肉が薄くなるので、プロテクタ１００の成形時に溝９の部分が冷え易くなり、形状が崩れるのを防止することができる。
【００６１】
図３において破線の丸で囲った部分で示すように、第１空間３１が第２空間３２，３２ｘと接続する部分の近傍で、第１空間３１の内壁１，２には段差が形成されている。この段差により、内壁１，２の間の距離が少し小さくなっている。これにより、ワイヤハーネス５０は、第１空間３１を通過して第２空間３２，３２ｘに至る直前に、内壁１，２による保持が少し強められ、その状態で第２空間３２，３２ｘを通過することになる。従って、第１空間３１と第２空間３２ｘとの境界部分において、ワイヤハーネス５０を円滑に保持することができる。
【００６２】
第１空間３１の段差の部分で間隔が小さくなった内壁１，２は、第２空間３２，３２ｘの内壁７，８に滑らかに繋がっている。これにより、第１空間３１と第２空間３２，３２ｘとの間をワイヤハーネス５０が円滑に通過することができる。
【００６３】
この段差は、矩形状の第１空間３１の４隅からそれぞれ円弧状に突出するように形成されている。これにより、金型の構造上エッジになり易い部分を滑らかな曲線状に形成できるので、ワイヤハーネス５０の損傷を防止することができる。
【００６４】
図２に示すように、屈曲部分１１に配置された第１空間３１と、その両隣の第１空間３１と、からなる３つの第１空間３１において、内周側の内壁から外周側の内壁へ突出する止めリブ５は３つである一方、外周側の内壁から内周側の内壁へ突出する止めリブ５はゼロである。このように、屈曲部分１１とその周辺に配置される第１空間３１において、内周側から外周側へ突出する止めリブ５の数が、外周側から内周側へ突出する止めリブ５の数よりも多い。これにより、屈曲部分１１の内周側を通じてワイヤハーネス５０が収容空間１５から外れるのを良好に防止することができる。
【００６５】
本実施形態において、止めリブ５は、プロテクタ１００にワイヤハーネス５０を組み付ける作業において、いわゆる仮止めとして機能する。収容空間１５（言い換えれば、止めリブ５の内側）にワイヤハーネス５０が入った状態で、プロテクタ１００の周囲に粘着テープを巻き付けることで、プロテクタ１００付きのワイヤハーネス５０が製造される。本実施形態の構成により、上記の仮止め状態でワイヤハーネス５０がプロテクタ１００から外れにくくなるので、上記の組付作業を安定して行うことができる。
【００６６】
以上に説明したように、本実施形態のプロテクタ１００には、一側（前記収容面側）を開放させた収容空間１５が長手方向に沿って形成される。このプロテクタ１００には、複数の第１空間３１と、第２空間３２，３２ｘと、が形成される。複数の第１空間３１は、収容面側を開放させるとともに反収容面側も開放させる。第２空間３２，３２ｘは、収容面側を開放させ、反収容面側は閉じられている。複数の第１空間３１は並べて配置されている。互いに隣り合う第１空間３１同士が第２空間３２，３２ｘを通じて繋がることにより、収容空間１５が形成される。第１空間３１において、収容空間１５の長手方向と垂直な方向で向かい合うように内壁１，２が対をなして配置されている。対で配置された内壁１，２のうち一方の内壁の、収容空間１５の長手方向にも内壁１，２が向かい合う方向にも垂直な方向で第２空間３２，３２ｘが開放している側と同じ側（収容面側）の端部に、反対側の内壁に向かって突出する止めリブ５が形成されている。
【００６７】
これにより、収容空間１５にワイヤハーネス５０を配置した場合に、両側が開放されている複数の第１空間において、ワイヤハーネス５０の周囲に空間を容易に形成することができる。従って、ワイヤハーネス５０に負荷が加わった場合でも、ワイヤハーネス５０のうち第１空間３１に位置している部分が必要に応じて動くことで、負荷を良好に逃がすことができる。また、簡素な構成の止めリブ５によって、ワイヤハーネス５０が開放部から出ることが防止される。この結果、ワイヤハーネス５０が収容空間１５の開放部から出にくくなるので、ワイヤハーネス５０がプロテクタ１００から外れることを良好に防止することができる。
【００６８】
また、本実施形態のプロテクタ１００において、対で配置された内壁１，２のうち止めリブ５が形成されていない側の内壁に、第１空間３１の両側の開放部を繋ぐ方向に細長い第１リブ３が、止めリブ５が形成されている側の内壁に向かって突出するように形成される。
【００６９】
これにより、止めリブ５によるワイヤハーネス５０の外れ防止効果をより高めることができる。また、ワイヤハーネス５０が第１空間３１の内壁に接触しにくくなるので、内壁に形成される例えば凹凸等によってワイヤハーネス５０が損傷することも防止できる。また、第１リブ３の突出量を適宜定めることによって、ワイヤハーネス５０の周囲に適度な大きさの空間を確保することができる。
【００７０】
また、本実施形態のプロテクタ１００において、対で配置された内壁１，２のうち止めリブ５が形成されている側の内壁に、第１空間３１の両側の開放部を繋ぐ方向に細長い第２リブ４が、止めリブ５が形成されていない側の内壁に向かって突出するように形成されている。
【００７１】
これにより、ワイヤハーネス５０が第１空間３１の内壁に接触しにくくなるので、内壁に形成される例えば凹凸等によってワイヤハーネス５０が損傷することを防止できる。また、第２リブ４の突出量を適宜定めることによって、ワイヤハーネス５０の周囲に適度な大きさの空間を確保することができる。
【００７２】
また、本実施形態のプロテクタ１００では、第２空間３２，３２ｘにおいて、収容空間１５の長手方向と垂直な方向で向かい合うように内壁７，８が対をなして配置されている。第２空間３２，３２ｘにおいて対で配置される内壁７，８の間の距離の最小値（Ｗ２）は、第１空間３１において対で配置される内壁１，２の間の距離の最大値（Ｗ１）よりも小さい（Ｗ２＜Ｗ１）。
【００７３】
これにより、第１空間３１においてワイヤハーネス５０の負荷を逃がしてプロテクタ１００からの外れ防止を実現する一方で、第２空間３２においてはワイヤハーネス５０の経路を良好に拘束することができる。
【００７４】
また、本実施形態のプロテクタ１００において、第２空間３２ｘは、収容空間１５の長手方向に沿って形成される。第２空間３２ｘの長手方向中間部において対で配置される内壁７ｘ，８ｘの間の距離Ｗ３が、長手方向端部において対で配置される内壁７，８の間の距離Ｗ２よりも大きい（Ｗ３＞Ｗ２）。
【００７５】
これにより、第２空間３２ｘの長手方向中間部において、ワイヤハーネス５０の周囲に空間を容易に形成することができる。従って、第２空間３２ｘにおいても、ワイヤハーネス５０に加わった負荷を良好に逃がすことができるので、プロテクタ１００からワイヤハーネス５０が外れるのを良好に防止することができる。
【００７６】
また、本実施形態のプロテクタ１００において、第１空間３１において対で配置された内壁１，２の間の距離は、第１空間３１が第２空間３２，３２ｘと接続する部分の近傍で小さくなっている。
【００７７】
これにより、第１空間３１を通過するワイヤハーネス５０は、第２空間３２，３２ｘに至る直前に、間隔が狭くなった内壁１，２によって経路が拘束され、その後に第２空間３２を通過することになる。従って、第１空間３１と第２空間３２との境界部分において、ワイヤハーネス５０を円滑に保持することができる。
【００７８】
また、本実施形態のプロテクタ１００において、複数の第１空間３１のうち少なくとも１つは、プロテクタ１００が曲がっている部分である屈曲部分１１に配置される。プロテクタ１００の屈曲部分１１に配置された第１空間３１において、止めリブ５は、内周側の内壁から外周側の内壁へ向かって突出するように設けられている。
【００７９】
これにより、プロテクタ１００の屈曲部分１１の内周側からワイヤハーネス５０が外れるのを良好に防止することができる。
【００８０】
また、本実施形態のプロテクタ１００において、複数の第１空間３１には、隣り合って配置され、止めリブ５の向きが互いに逆である２つの第１空間３１が含まれる。
【００８１】
これにより、交互配置された止めリブ５によって、ワイヤハーネス５０を収容空間１５から外れにくくすることができる。
【００８２】
また、本実施形態のプロテクタ１００において、第１空間３１の両側の開放部を繋ぐ方向（上下方向）で見たときに、止めリブ５が突出する長さＬ１は、第１空間３１における内壁の間の距離Ｗ１の１／２よりも小さい（Ｌ１＜Ｗ１／２）。
【００８３】
これにより、止めリブ５が開放部を閉鎖し過ぎないので、組立時にワイヤハーネス５０を第１空間３１（収容空間１５）に容易に入れることができる。
【００８４】
また、本実施形態のプロテクタ１００では、プロテクタ１００の屈曲部分１１又はその近傍部分に配置される複数の第１空間３１において、内周側の内壁から外周側の内壁へ向かって突出する止めリブ５の数が、外周側の内壁から内周側の内壁へ向かって突出する止めリブ５の数よりも多い。
【００８５】
これにより、プロテクタ１００の屈曲部分１１の周辺においてワイヤハーネス５０が外れてしまうのを良好に防止することができる。
【００８６】
また、本実施形態のプロテクタ１００では、第２空間３２ｘにおいて、開放側と反対側に位置する内壁（天井壁）には、第２空間３２ｘの幅（即ち、対で配置された内壁７，８の間の距離）Ｗ２，Ｗ３よりも小さい幅Ｗ４の溝９が形成される。溝９の長手方向端部が第１空間３１に接続されている。
【００８７】
これにより、第２空間３２に水が侵入した場合でも、溝９を介して第１空間３１に水を案内することで、排出が容易になる。また、プロテクタ１００を型によって樹脂成形する場合に、溝９が形成されている部分は樹脂が素早く冷えて硬化するので、プロテクタ１００の形状の崩れを防止することができる。
【００８８】
以上に本発明の好適な実施の形態を説明したが、上記の構成は例えば以下のように変更することができる。
【００８９】
第１空間３１、第２空間３２，３２ｘの数は、任意に変更することができる。
【００９０】
それぞれの第１空間３１において、止めリブ５、第１リブ３及び第２リブ４は、１つに代えて２つ以上配置することもできる。
【００９１】
第１リブ３は、止めリブ５と対向しない位置に配置されても良い。第２リブ４は、第１リブ３と対向しない位置に配置されても良い。
【００９２】
止めリブ５は、リブ状に形成されている限り、どのような形状に変更しても良い。
【００９３】
溝９の数は、１本又は３本以上に変更しても良い。また、直線部分に配置される第２空間３２において、溝９が形成されても良い。
【００９４】
プロテクタ１００に屈曲部分１１は１つだけ形成されても良いし、２つ以上形成されても良い。また、屈曲部分１１において曲がる向きも任意である。
【００９５】
プロテクタ１００の収容空間１５は、上側に代えて、任意の側を開放させるように変更しても良い。
【符号の説明】
【００９６】
１，２  第１空間の内壁
３  第１リブ
４  第２リブ
５  止めリブ
７，８  第２空間の内壁
１１  屈曲部分
１５  収容空間
３１  第１空間
３２  第２空間
５０  ワイヤハーネス
１００  プロテクタ
【図１】
2019198162.tif 000003
【図２】
2019198162.tif 000004
【図３】
2019198162.tif 000005
【図４】
2019198162.tif 000006